(57)【要約】【課題】安全性の高いサムターン装置の提供を目的とする。【解決手段】錠装置に連結されるサムターン軸１を回転自在に保持するサムターンケース２と、  サムターンケース２の装着開口３に抜去自在に挿入され、挿入状態においてサムターン軸１を施解錠回転位置間で回転操作可能な摘み部材４とを有し、  前記サムターンケース２には、摘み部材４が施錠回転位置にあるときに摘み部材４に設けられた抜け止め部５の抜去方向の移動経路を閉塞して摘み部材４の抜去を規制するとともに、摘み部材４が解錠回転位置にあるときには前記移動経路を開放して摘み部材４の抜去を許容するストッパ部６が設けられ、  かつ、前記摘み部材４の抜け止め部５とストッパ部６とは、摘み部材４の挿入方向の操作により弾発係止可能に形成される。【選択図】  図２
2010236321.tif 000002
【特許請求の範囲】
【請求項１】
錠装置に連結されるサムターン軸を回転自在に保持するサムターンケースと、
サムターンケースの装着開口に抜去自在に挿入され、挿入状態においてサムターン軸を施解錠回転位置間で回転操作可能な摘み部材とを有し、
前記サムターンケースには、摘み部材が施錠回転位置にあるときに摘み部材に設けられた抜け止め部の抜去方向の移動経路を閉塞して摘み部材の抜去を規制するとともに、摘み部材が解錠回転位置にあるときには前記移動経路を開放して摘み部材の抜去を許容するストッパ部が設けられ、
かつ、前記摘み部材の抜け止め部とストッパ部とは、摘み部材の挿入方向の操作により弾発係止可能に形成されるサムターン装置。
【請求項２】
前記ストッパ部は、装着開口内に進退自在に形成されて装着開口内への突出方向に付勢されるとともに、
抜け止め部はストッパ部が嵌合可能な溝形状に形成され、
かつ、摘み部材には、解錠回転位置にあるときに前記ストッパ部の没入操作が可能な操作片が装着される請求項１記載のサムターン装置。
【請求項３】
前記操作片は、摘み部材に揺動操作自在に装着されるとともに、ストッパ部は、摘み部材が解錠回転位置にあるときに先端が操作片の端部に圧接するピン、あるいは球体により形成される請求項２記載のサムターン装置。
【請求項４】
前記摘み部材は、サムターンケースへの挿入状態において、断面円形状の偏芯軸嵌合によりサムターン軸に連結されて回転操作力を伝達する請求項１、２または３記載のサムターン装置。
【発明の詳細な説明】
【技術分野】
【０００１】
本発明は、サムターン装置に関するものである。
【背景技術】
【０００２】
室外からの回転つまみに対する不正操作を防止するために、回転つまみを取り外すことのできるサムターン装置としては、特許文献１に記載のものが知られている。この従来例において、サムターンは錠装置に連結される回転体に爪を介して連結されており、爪の係止を解除することによりサムターンケースから取り外すことができる。
【先行技術文献】
【特許文献】
【０００３】
【特許文献１】実公昭５７-２７８８０号公報
【特許文献２】特開２００７-２３５９７号公報
【発明の概要】
【発明が解決しようとする課題】
【０００４】
しかし、上述した従来例は、錠装置が施解錠いずれの位置においてもサムターンを取り外すことができるために、例えば、在室時に施錠をしてサムターンを取り外した状態で火災等が発生した場合、サムターンの装着に手間取って逃げ遅れる等の事故が発生する虞がある。
【０００５】
本発明は、以上の欠点を解消すべくなされたものであって、安全性の高いサムターン装置の提供を目的とする。
【課題を解決するための手段】
【０００６】
サムターン装置は、ドアに固定される箱錠等の錠装置に連結されるサムターン軸１をサムターンケース２に保持して形成され、サムターンケース２に装着される摘み部材４への回転操作によって錠装置を操作する。錠装置を操作する際の入力部となる摘み部材４は、外出時の室外からの不正操作を防止するために、サムターンケース２から取り外すことが可能であり、施錠状態での取り外しを規制した本発明においては、在室中に緊急事態が発生した場合の速やかな室外への待避を保証することができる。
【０００７】
また、解錠状態での取り外しを可能にすることにより、在室中にサムターン装置を解錠状態とした後、摘み部材４を取り外し、この後、室外から施錠することによって、留守中の不正解錠操作を完全に防ぐことが可能になる。
【０００８】
加えて、摘み部材４の装着はサムターン軸１がどの位置であっても可能であるために、同居者が在室中に外出した場合、室内の同居者は、摘み部材４を装着して扉の施解錠操作を行うことができる。
【０００９】
上述した動作を行うために、サムターンケース２にはストッパ部６が、摘み部材４には抜け止め部５が各々設けられる。ストッパ部６は、摘み部材４が施錠回転位置にあるときに摘み部材４側の抜け止め部５の抜去方向の移動経路を閉塞して摘み部材４の抜去を規制するとともに、摘み部材４が解錠回転位置にあるときには前記移動経路を開放して摘み部材４の抜去を許容するように構成され、例えば、抜け止め部５を軸方向から側方に突出する突部として形成するとともに、ストッパ部６を、装着開口３の内壁から突設されて挿入状態の抜け止め部５の抜去方向への移動を規制する内向きフランジとして形成し、さらに、摘み部材４が解錠回転位置にあるときの抜け止め部５に対応する位置を切り欠いて当該位置における抜去を可能にするように構成することができる。
【００１０】
また、施解錠位置いずれにおいても摘み部材４の装着操作を可能にするために、摘み部材４の抜け止め部５とストッパ部６とは、摘み部材４の挿入方向の操作により弾発係止可能に形成され、例えば、上述した例において、抜け止め部５を「レ」字状の板バネ、あるいはスプリングにより突出方向に付勢される「レ」字状のピース体により形成し、傾斜面を挿入先頭に向けた姿勢で配置することにより挿入操作により板バネ等は一旦突出状態を解消してフランジを乗り越え、この後、弾性復元力により原位置復帰して抜去が規制されるように構成することができる。
【００１１】
さらに、前記摘み部材４は、サムターンへの挿入状態において、断面円形状の偏芯軸嵌合によりサムターン軸１に連結されて回転操作力を伝達するサムターン装置を構成した場合、摘み部材４を抜去した状態においてサムターン軸１への操作力負荷点が完全になくなるために、摘み部材４を抜去した状態でのサムターン軸１への不正操作が完全に防がれる。
【発明の効果】
【００１２】
本発明によれば、在室時の安全性を確保した状態で、室外からの不正解状操作を確実に防止することができる。
【図面の簡単な説明】
【００１３】
【図１】サムターン装置を示す図で、（ａ）は正面図、（ｂ）（ａ）の１Ｂ方向矢視図、（ｃ）は（ｂ）の１Ｃ方向矢視図である。
【図２】図１の断面図で、（ａ）は解錠位置の初期状態を示す図、（ｂ）は操作片を操作した状態を示す図である。
【図３】サムターンケースを示す図で、（ａ）は断面図、（ｂ）は（ａ）の３Ｂ方向矢視図、（ｃ）は正面図である。
【図４】摘み部材を示す図で、（ａ）は断面図、（ｂ）は操作片を操作した状態を示す断面図、（ｃ）は（ａ）の４Ｃ方向矢視図である。
【発明を実施するための形態】
【００１４】
図１以下に示すように、サムターン装置は、扉の室内側壁面に固定されるサムターンケース２と、サムターンケース２に対して着脱自在な摘み部材４とを有する。
【００１５】
サムターンケース２は中心部に断面円形の装着開口３を有して筒形状に形成され、外周部には、スプリング８により後方に付勢される筒状カバー９が装着される。筒状カバー９は、サムターン装置を扉に固定した状態で後方端縁が扉表面に圧接し、扉に開設されたサムターン装着用の開口を閉塞する。
【００１６】
また、サムターンケース２には、後端開口を閉塞するようにサムターン軸１が装着される。サムターン軸１は、止め輪１０を利用して回転自在に装着されており、後端部に扉内に固定される箱錠に回転方向に連結する連結軸１ａが形成される。図３に示すように、連結軸１ａは、回転方向への空転を防止するために、断面十文字形状に形成される。
【００１７】
さらに、サムターンケース２の前端部には、一端が半球形状を有するピンが装着されてストッパ部６が形成される。ピンは半球状先端部を装着開口３に向けて装着開口３の中心軸に対して直交方向に移動自在に装着され、圧縮スプリング６ａにより装着開口３内に突出する方向に付勢される。各ピン６には、装着開口３内への脱落を防ぐためにストッパフランジ６ｂが形成される。この実施の形態において、ピン６は、装着開口３の中心線に対して対称位置に２個配置される。
【００１８】
一方、摘み部材４は、長円断面形状の摘み部４ａの後端に円柱状の挿入部４ｂが突設された摘み本体１１に操作片７を連結して形成される。挿入部４ｂには、全周にわたって外周を切り欠いた溝状の抜け止め部５が形成され、挿入部４ｂを装着開口３に挿入すると、ピン６が抜け止め部５に嵌合し、以後、摘み部材４のサムターンケース２からの抜去が規制される。
【００１９】
挿入部４ｂの後端には、上記サムターン軸１に開設された嵌合凹部１ｂに嵌合する嵌合突部１２が突設される。後述するように、摘み部材４を抜去した状態で表面に現れる嵌合凹部１ｂが不正解錠操作時の引っ掛け代となることのないように、嵌合凹部１ｂと嵌合突部１２とは円形断面形状を有しており、さらに、摘み本体１１からの回転操作力伝達を可能にするために、これら嵌合凹部１ｂと嵌合突部１２とは装着開口３の中心軸に対して偏倚した偏芯軸嵌合状態で連結される。
【００２０】
操作片７は一端に作動突部７ａを備えて板状に形成され、摘み本体１１に長手通しに形成されたスリット状の装着溝１１ａに嵌合させて装着される。図４に示すように、操作片７は同一形状の２枚を作動突部７ａが背向する姿勢で同一面上に並べて配置され、前端方への脱離が摘み本体１１にネジ止めされるキャップ部材１３により規制される。
【００２１】
各操作片７は、後端、および前端が摘み本体１１、およびキャップ部材１３のガイド部１１ｂ、１３ｂにガイドされて揺動自在であり、操作片７間に介装される圧縮スプリング１４により作動突部７ａ間が近接する方向に付勢される。近接方向のストロークを規制するために、操作片７の前端にはストッパ突起７ｂが突設される。
【００２２】
図２に示すように、操作片７はサムターンケース２に装着された摘み部材４が解錠回転位置にあるときに作動突部７ａがピン６の先端に対応するように配置される。
【００２３】
したがってこの実施の形態において、サムターンケース２に装着した状態で摘み部材４はピン６が抜け止め部５に嵌合して抜去が規制される。装着状態において解錠回転位置まで摘み部材４を回転操作し、箱錠を解錠した状態で、図２（ｂ）に示すように、操作片７の装着溝１１ａからの露出部を押し込んで操作片７を揺動させると、操作片７の作動突部７ａにより押されてピン６は抜け止め部５から脱離する。
【００２４】
この状態で摘み部材４はサムターンケース２から抜去することが可能であり、抜去することによりサムターン軸１への回転操作力付与が不能となり、この後、室外に出て室外から施錠操作を行うと、室外からの不正解錠操作を完全に防ぐことができる。
【００２５】
また、この状態で在室者が摘み部材４の挿入部４ｂをサムターンケース２に押し込むと、装着開口３内に突出しているピン６は、挿入部４ｂの後端に形成された面取り部４ｃにより没入姿勢に押し込まれ、摘み部材４の挿入操作が許容される。
【００２６】
さらに、サムターン軸１が施錠回転位置にあるときには、操作片７の作動突部７ａはピン６に対応していないために、ピン６の抜け止め部５からの嵌合状態を解消することができず、摘み部材４の抜去操作は禁止される。
【符号の説明】
【００２７】
１        サムターン軸
２        サムターンケース
３        装着開口
４        摘み部材
５        抜け止め部
６        ストッパ部
７        操作片
【図１】
2010236321.tif 000003
【図２】
2010236321.tif 000004
【図３】
2010236321.tif 000005
【図４】
2010236321.tif 000006